(57)【特許請求の範囲】
【請求項１】
テレビカメラを雲台に取り付け、カメラ動作を遠隔操作する雲台装置において、
上記雲台に対し着脱自在に取り付けられ、この雲台から離脱した状態で雲台の操作が実行可能に構成されたメンテナンス用操作部を設けたことを特徴とするメンテナンス用操作部を備えた雲台装置。
【請求項２】
上記メンテナンス用操作部に、所定長さのケーブル及びコネクタを取り付け、雲台側に上記コネクタを接続するコネクタ受けを取り付けたことを特徴とする上記第１請求項記載のメンテナンス用操作部を備えた雲台装置。
【発明の詳細な説明】
【０００１】
【発明の属する技術分野】
本発明は、テレビカメラを遠隔駆動するための雲台装置において、この雲台等をメンテナンス時に操作するメンテナンス用操作部の構成に関する。
【０００２】
【従来の技術】
監視カメラ等のテレビカメラにおいては、雲台に支持された状態で、鉄塔、ビル屋上等に設置され、離れた場所の監視室等で遠隔操作する雲台装置が知られている。この雲台装置は、雲台を駆動することによりテレビカメラを、例えばパン（左右方向）、チルト（上下方向）に動かすことができ、これによりテレビカメラで捉えられる領域の映像がモニタ等に表示される。
【０００３】
図５には、テレビカメラ及び雲台が示されており、テレビカメラ１を取付けた雲台２は、例えば鉄塔等の載置部（台）３に設置される。この雲台２によれば、テレビカメラ１に連結した駆動軸を回転させてチルト動作を行い、載置部３側の駆動軸で雲台２自体を回転させてパン動作を行うことができる。
【０００４】
そして、この雲台２の下側固定部（前面）等にメンテナンス用の操作部４が配置されており、この操作部４には、例えばチルト用スイッチ５、パン用スイッチ６が設けられる。この操作部４は、雲台２の遠隔操作部とは別に、テレビカメラ１が配置された現場で雲台２を駆動し、テレビカメラ１の位置等を変えることができ、テレビカメラの取付け、点検、修理等を行う際に用いられることになる。
【０００５】
【発明が解決しようとする課題】
しかしながら、上記の操作部４は、雲台２の所定の位置に固定されているため、テレビカメラ１及び雲台２を設置する場所によっては、操作部４が操作し難い位置に配置されることがあり、またテレビカメラ１が雲台２と比較して長くて大きいことから、動かされるテレビカメラ１が操作者に接触する等の不都合があった。特に、テレビカメラ１が鉄塔やビルの屋上の端部等に取り付けられる場合は、上記操作部４が危険な位置に配置される場合もあり、またテレビカメラ１が操作者にぶつかるような危険な状況で作業をしなければならない場合もある。
【０００６】
本発明は上記問題点に鑑みてなされたものであり、その目的は、操作し易い任意の位置へ操作部を移動させることができ、安全な状態でテレビカメラを動かせるメンテナンス用操作部を備えた雲台装置を提供することにある。
【０００７】
【課題を解決するための手段】
上記目的を達成するために、第１請求項の発明に係るメンテナンス用操作部を備えた雲台装置は、テレビカメラを雲台に取り付け、カメラ動作（テレビカメラ及び雲台の全ての動作）を遠隔操作する雲台装置において、上記雲台に対し着脱自在に取り付けられ、この雲台から離脱した状態で雲台の操作が実行可能に構成されたメンテナンス用操作部を設けたことを特徴とする。
第２請求項に係る発明は、上記メンテナンス用操作部に、所定長さのケーブル及びコネクタを取り付け、雲台側に上記コネクタを接続するコネクタ受けを取り付けたことを特徴とする。
【０００８】
上記の操作部は、所定長さのケーブルで雲台に取り付けられ、例えば収納部に着脱自在とされる。従って、メンテナンス時には操作部を収納部から外し、雲台から離れた所で雲台の駆動ができることになる。
【０００９】
また、第２請求項の構成の場合も、コネクタを接続することにより同様に離れた任意の位置での操作が可能となり、この場合は、一つの操作部で複数の雲台のメンテナンスが可能となる利点がある。更に、この操作部は赤外線等を利用したリモコン操作部としてもよい。
【００１０】
【発明の実施の形態】
図１及び図２には、実施形態の第１例に係るメンテナンス用操作部を備えた雲台装置が示されている。図において、テレビカメラ１１は雲台１２に取り付けられ、この雲台１２が鉄塔等の載置部３に固定される。この雲台１２（内部制御回路）には、信号線ケーブル１３を介して操作部１４が接続されており、この操作部１４には、例えばリモート（遠隔）操作とローカル（現地）操作を切り替える切替えスイッチ１４Ａ、パン操作のためのパン用スイッチ１４Ｂ、チルト操作のためのチルト用スイッチ１４Ｃが設けられる。なお、監視室等の遠隔場所にはテレビカメラ１１及び雲台１２を遠隔操作するリモート操作部が配置される。
【００１１】
また、上記雲台１２はパン動作のために上側部分１２Ａが下側の固定部１２Ｂに対して回転するように構成されているが、この上側部分１２Ａに、上記操作部１４を着脱自在に配置する収納金具１５が取り付けられる。この収納金具１５は、図示されるように、枠状の保持金具からなり、上側から操作部１４を挿入・配置した状態で、各スイッチ１４Ａ〜１４Ｃを押し操作できるようになっている。なお、この収納金具１５の配置位置は、図示された正面側の位置以外でもよく、例えば左側面側に設けることができる。
【００１２】
上記第１例の構成によれば、操作部１４は収納金具１５から着脱自在となり、取付け、点検、修理等のメンテナンス時では、図示のように操作部１４を収納金具１５から取り外すことができる。そして、この操作部１４によれば、切替えスイッチ１４Ａを押すことにより、リモート操作からローカル操作へ切り替えられ、これにより他のスイッチ操作が有効な状態となる。
【００１３】
即ち、パンスイッチ１４Ｂを押すことにより、図１の矢示１０１の左右方向へテレビカメラ１１の前面部を回動させることができ、チルトスイッチ１４Ｃを押すことにより、図２の矢示１０２の上下方向へテレビカメラ１１を回動させることができる。このようにして、メンテナンス作業が行い易い位置へテレビカメラ１１を配置することができ、例えばレンズ部の交換、修理等が良好に実施される。
【００１４】
図２から理解されるように、テレビカメラ１１は雲台１２と比較すると長くて大きいため、従来のように操作部が雲台１２（１２Ｂ）に固定されていると、回動するテレビカメラ１１が操作者の腕や顔等に接触し、テレビカメラ１１の操作が行い難い。しかし、本発明では、上述のように操作部１４を雲台１２から離れた位置で操作できるので、危険のない容易な操作が可能となるという利点がある。なお、この第１例では、収納金具１５に操作部１４を取り付けた状態での操作も可能となり、これは安全性に問題のない状態で操作部１４を用いる場合に有効である。
【００１５】
図３には、実施形態の第２例の構成が示されており、この第２例は操作部をコネクタ接続するようにしたものである。即ち、図３に示されるように、操作部１４には、コネクタ（雄部）１７が取り付けられたケーブル１８を接続すると共に、雲台１２にはコネクタ受け（雌部）１９を取り付ける構成とされる。
【００１６】
この第２例の場合も、上記コネクタ１７をコネクタ受け１９に接続すれば、雲台１２から離れた場所で操作部１４を操作でき、安全な状態でテレビカメラ１１を動かすことができる。また、１台の操作部１４で複数の雲台１２が操作可能となる利点がある。
【００１７】
図４には、実施形態の第３例の構成が示されており、この第３例はリモコン操作部としたものである。即ち、図４に示されるように、リモコン操作部２１には、赤外光の制御信号を発光する発光素子２２が設けられ、雲台１２側に受光素子２３が配置される。この第３例によれば、操作部２１の操作に応じた赤外光の制御信号を出力することにより、雲台１２のパン、チルトの駆動が可能となり、無線によって操作部２１を用いることができることになる。
【００１８】
【発明の効果】
以上説明したように、第１請求項に係る発明によれば、テレビカメラを遠隔操作するための雲台に対し、操作部を着脱自在に取り付け、雲台から離した状態で操作部の操作が実行できるようにしたので、操作し易い任意の位置へ操作部を移動でき、危険な状況でテレビカメラを動かすことがなく、使い勝手のよい装置を得ることが可能となる。
【００１９】
第２請求項に係る発明によれば、上記操作部に、所定長さのケーブル及びコネクタを取り付け、雲台側に上記コネクタを接続するコネクタ受けを取り付けたので、一台の操作部で多くの雲台のメンテナンスを行うことができるという利点がある。
【図面の簡単な説明】
【図１】本発明の実施形態の第１例に係るメンテナンス用操作部を備えた雲台装置の構成を示す正面図である。
【図２】図１の雲台及びテレビカメラの側面図である。
【図３】実施形態の第２例の構成を示す雲台の部分図である。
【図４】実施形態の第３例の構成を示す雲台の部分図である。
【図５】従来のメンテナンス用操作部を備えた雲台装置の構成を示す正面図である。
【符号の説明】
１，１１  …  テレビカメラ、
２，１２  …  雲台、
１３，１８  …  ケーブル、
１４，２１  …  操作部、
１７  …  コネクタ、
１９  …  コネクタ受け、
１４Ａ〜１４Ｃ、２１Ａ〜２１Ｃ  …  各操作スイッチ。
【図１】
0003684280.tif 000002
【図２】
0003684280.tif 000003
【図３】
0003684280.tif 000004
【図４】
0003684280.tif 000005
【図５】
0003684280.tif 000006